(57)【特許請求の範囲】
【請求項１】
遊技盤の意匠盤面を下側に向けて遊技盤を搭載する設置部材と、設置部材と相対峙し、かつ遊技盤の意匠盤面側部品との位置が上下に対応する多数の押出ピンが突設された押出部材と、押出部材と設置部材とを相対的に近づけることにより押出ピンを遊技盤の裏面より意匠盤面側に向けて押し込んで遊技盤の意匠盤面側部品を遊技盤より押し出して取り外しその後に遠ざけるように駆動する可動部材と、設置部材に設けられて可動部材の遠ざかり時に遊技盤が設置部材より持ち上がるのを防止する押さえ部材と、を備えたことを特徴とする遊技盤の解体装置。
【請求項２】
設置部材は、遊技盤の意匠盤面側に取り付けられた釘が可動部材の移動方向と平行するように、遊技盤を収容する収容部を備えたことを特徴とする請求項１記載の遊技盤の解体装置。
【発明の詳細な説明】
【０００１】
【発明の属する技術分野】
本発明はパチンコ機の遊技盤より意匠盤面側部品を取り外す遊技盤の解体方法及びその解体装置に関する。
【０００２】
【従来の技術】
この種の遊技盤の解体装置には、例えば特開平７−８０１３１号公報で開示されたように、パチンコ店より使用済として出される遊技盤である廃棄台より釘を自動的に取り外すようにしたものは知られている。
【０００３】
【発明が解決しようとする課題】
しかし、前記従来の遊技盤の解体装置では、１枚の遊技盤に打ち込まれた２００本〜３００本程度の多数の釘を遊技盤の意匠盤面より１本ずつ引き抜く構造であるために、１枚の遊技盤に対する解体開始から終了までの時間が長くなり、作業効率が悪い。
【０００４】
そこで、本発明は遊技盤の意匠盤面側部品を遊技盤の裏面より意匠盤面側に押し出すことにより、作業効率を向上できる遊技盤の解体方法及びその解体装置を提供しようとするものである。
【０００５】
【課題を解決するための手段】
請求項１の発明にあっては、遊技盤の意匠盤面を下側に向けて遊技盤を搭載する設置部材と、設置部材と相対峙し、かつ遊技盤の意匠盤面側部品との位置が上下に対応する多数の押出ピンが突設された押出部材と、押出部材と設置部材とを相対的に近づけることにより押出ピンを遊技盤の裏面より意匠盤面側に向けて押し込んで遊技盤の意匠盤面側部品を遊技盤より押し出して取り外しその後に遠ざけるように駆動する可動部材と、設置部材に設けられて可動部材の遠ざかり時に遊技盤が設置部材より持ち上がるのを防止する押さえ部材と、を備えたことを備えたことを特徴としている。
この請求項１の構成によれば、押出部材が設置部材より離れた状態において、遊技盤を設置部材に装着し、押さえ部材で遊技盤を押さえる。そして、可動部材により押出部材が設置部材に近づく方向に駆動することにより、その過程において、多数の押出ピンが遊技盤に裏面より意匠盤面側に押し込まれて意匠盤面側部品を遊技盤より一度に取り外す。その後、可動部材により押出部材が設置部材より離れる際、押さえ部材が遊技盤を押さえることにより、遊技盤が設置部材より持ち上がることなく、押出ピンが遊技盤より引き抜かれる。
請求項２の発明にあっては、請求項１に記載の設置部材は、遊技盤の意匠盤面側に取り付けられた釘が可動部材の移動方向と平行するように、遊技盤を収容する収容部を備えたことを特徴としている。
請求項２の発明の構成によれば、押出ピンが遊技盤の釘と平行移動して釘を取り外す。
【０００６】
【発明の実施の形態】
図１〜図３は本発明の第１実施形態であって、図１は解体方法を示し、図２は解体前の遊技盤１０の断面を示し、図３は解体装置１の断面を示す。
【０００７】
図２を参照し、例えばパチンコ店から使用済遊技盤として出された廃棄台である遊技盤１０について説明する。合成樹脂又は木材等の何れか１つ又は複合材からなる遊技盤１０は、その意匠盤面１１に遊技釘や障害釘と呼ばれる多数の釘１２やセンター役物１３及び複数の電動チューリップ１４等のような意匠盤面側部品を備え、裏面１５にセット板１６や複数の配線用コネクタ１７，１８等の裏面側部品を備える。センター役物１３及び電動チューリップ１４等は意匠盤面１１の前面側よりねじ釘のような止めねじ２２により遊技盤１０に取り付けられている。セット板１６は裏面１５に裏面側よりねじ釘のような止めねじ１９により遊技盤１０に取り付けられている。複数の配線用コネクタ１７，１８は、セット板１６の内側面にセンター役物１３のコネクタ１３ａ及び電動チューリップ１４のコネクタ１４ａと対応する位置に装着されている。各配線用コネクタ１７，１８にはセット板１６の内側面又は裏側面にプリント線のような形態に敷設された図外の電線が配線されている。そして、止めねじ１９が遊技盤１０より取り外され、セット板１６が遊技盤１０の裏面１５より遠ざかるように真上に持ち上げられることにより、配線用コネクタ１７，１８がコネクタ１３ａ，１４ａより引き抜かれる。又、セット板１６に取り付けられている配線コネクタ１７，１８以外の図外のランプやスイッチ等の電気部品も遊技盤より取り除かれる。尚、図示は省略したが、意匠盤面側部品や裏面側部品には上記以外の多種類の部品が存在するので、意匠盤面側部品や裏面側部品としては、上記以外の部品でも良い。
【０００８】
図１を参照し、解体方法について説明する。ステップ１０１では、図２に示すような遊技盤１０よりセット板１６や配線用コネクタ１７，１８等の裏面側部品を取り除く。そして、ステップ１０２では、裏面側部品が取り除かれれた図３に示すような遊技盤２０を解体装置１に持ち上がらないような態様に設置する。次に、ステップ１０３において、解体装置１の押出部材２を遊技盤２０に向けて駆動する。すると、押出部材２に遊技盤２０の意匠盤面側部品と位置が対応して設けられた押出ピン５が遊技盤２０に裏面１５より意匠盤面１１の側に押し込まれる。この押出ピン５により、意匠盤面側部品が遊技盤２０の意匠盤面１１の側に押し出される。それから、ステップ１０４において解体装置１の押出部材５が元の位置に復帰し、ステップ１０５において遊技盤２０を解体装置１より取り外すことにより、解体作業の１サイクルが終了する。
【０００９】
図３において、解体装置１は、上側の押出部材２と、これに相対峙する下側の設置部材３と、設置部材３に設けられた押さえ部材４とを備え、裏面側部品の無い遊技盤（この遊技盤は例えば図２に示す遊技盤１０よりセット板１６と配線用コネクタ１７，１８が取り外されたものと同等である）２０が裏面１１を押出部材２の側に向けて設置部材３の押出部材２の側に装着され、遊技盤２０が押さえ部材４により設置部材３に離脱しないように支持され、押出部材２及び設置部材３が相対的に近づくように駆動することにより、押出部材２の設置部材３の側に突出する多数の押出ピン５が遊技盤２０に裏面より意匠盤面１１の側に側に向けて押し込まれ、押出ピン５が釘１４や役物（この役物は図２に示すセンター役物１３や電動チューリップ１４等に相当するものである）２１等のような意匠盤面側部品を遊技盤２０より下方に押し出して取り外す構造である。
【００１０】
解体装置１では、少なくとも、押出部材２と設置部材３との何れか一方が可動側で、他方が固定側として構成すれば良いが、本実施形態では、押出部材２を可動側とし、搭載部３を固定側とした例を図示している。つまり、解体装置１は、プレス機械のように、昇降シリンダのピストンロッドのような上側の可動部材６に押出部材２を装着している。解体動作開始前において、押出部材２の押出ピン５は可動部材６の上昇停止により上昇限度位置に停止している。この状態において、押出ピン５は、設置部材２に位置決めされた遊技盤２０より上方に離隔しかつ釘１４及び役物２１の止めねじ２２等の意匠盤面側部品と位置が上下に対応している。押出ピン７は、押出部品２の下面より遊技盤２０の厚さ以上の長さを有し、可動部材２の昇降方向と平行な直線状を有する。
【００１１】
又、解体動作開始前において、設置部材３は上方開放の凹部７と凹部７の開口周縁部に段差状の収容部８とを備え、遊技盤２０の意匠盤面１１が下側に向き、遊技盤２０の周縁部が収容部８に上方より収容されることにより、遊技盤２０が設置部材３に対し位置決めされる。設置部材３に装着された遊技盤２０の下側に向けられた意匠盤面１１は、可動部材６の昇降方向に直交する水平面と所定角度θの傾斜を成す。この所定角度θは、遊技盤２０がパチンコ店の島に設置される上の方に向けて釘１４が遊技盤２０の意匠盤面１１の垂線に対して例えば約５°程度傾斜するように打ち込まれた角度である。凹部７は押出ピン５により遊技盤２０より落下する釘１４や役物２１及び止めねじ２２等の意匠盤面側部品を受け止める空間であって、凹部７の底面７ａは凹部７に落下した釘１４や役物２１及び止めねじ２２等を凹部７と外部とに貫通するように形成された排出口９に向けて滑落し得る傾斜を有する。可動部材６を上昇限度位置から下降限度位置に下降して遊技盤２０より釘１４や役物２１及び止めねじ２２等を一度に取り外す際、遊技盤２０の裏面１５と押出部材２の下面２２とが接触するような態様としたことから、押出部材２の下面２２と遊技盤２０の裏面１５とが平行となるように、収容部８の支持面８ａが可動部材６の昇降方向に直交する水平面と所定角度θを成す平坦な傾斜面として形成されている。
【００１２】
解体装置１の動作を説明すると、可動部材６が上昇限度位置に停止し、遊技盤２０が設置部材３に搭載されかつ押さえ部材４により押さえられた状態において、可動部材６が矢印Ｐ方向に下降動作することにより、押出部材２が上昇限度位置より下降限度位置に向かい直線的に下降する。この押出部材２の下降過程において、多数の押出ピン５が遊技盤２０の裏面１５に押し込まれる。そして、押出ピン５が釘１４や止めねじ２２を遊技盤２０の意匠盤面１１の側に押し出す。これにより、釘１４や止めねじ２２が遊技盤２０より離脱し、止めねじ２２の離脱により役物２１が遊技盤２０より離脱する。遊技盤２０より離脱した釘１４や役物２１及び止めねじ２２は凹部７に落下した後に底面７ａを滑落して排出口９より凹部７の外部に放出される。外部に放出された釘１４や役物２１等は図外の収集箱に取り込まれる。又、止めねじ２２の離脱によっても役物２１が遊技盤２０より離脱しない場合は、引き続く押出部材２の下降により、押出部材２の下面２２が役物２１を下方に押し出すことにより、役物２１は遊技盤２０より離脱する。その後、可動部材６の下降動作が停止することにより、押出部材２が下降限度位置に停止し、押出部材６の下面２２と遊技盤２０の裏面１５とが接触する。それから、可動部材６が矢印Ｐ方向とは逆方向に上昇動作することにより、押出部材２が下降限度位置より上昇限度位置に向かい直線的に上昇する。この過程において、押出ピン５により遊技盤２０には上向きの力が掛かるが、遊技盤２０が押さえ部材４で設置部材３に押さえられているので、遊技盤２０が設置部材３より浮き上がることは無く、押出ピン５が遊技盤２０より引き抜かれる。その後、可動部材６の上昇動作が停止することにより、押出部材２が上昇限度度位置に停止し、多数の押出ピン５が設置部材３の上の遊技盤２０の裏面１５より上方に離隔する。この状態において、遊技盤２０を設置部材３より取り外すことにより、遊技盤２０より意匠盤面側部品を作業効率良く取り外すことができる。
【００１３】
第１実施形態の解体装置１では、押出ピン５が止めねじ２２を押したが、押出ピン５が止めねじ２２を押す代わりに役物２１を押すか、又は、役物２１や止めねじ２２に対応する押出ピン５を省き、役物２１を押出部材２の下面２２で押しても良い。この時、意匠盤面側部品を遊技盤２０に装着していた止めねじ２２が役物２１と一緒に遊技盤２０より離脱するか、又は、止めねじ２２の周りの役物２１が破損して止めねじ２１が遊技盤２０に残存するかは、遊技盤２０に対する止めねじ２２の結合度と止めねじ２２に対する役物２１の強度との関係により決まる。又、役物２１は止めねじ２２で遊技盤２０に取り付けられたが、役物２２は止めねじ２２に代えてフックやステップル針等の固着部材により遊技盤２０に取り付けられた構造でも良い。
【００１４】
図４は本発明の第２実施形態の押出部材２の一部の断面を示し、押出部材２の下面より突出する前記押出ピン５に相当する押出ピン５Ａは、先端面が釘１４（図３参照）を押し出し得る平坦な広さを有し、外径が先端に行くに従って徐々に小さくなる、截頭錐形であって、押出ピン５Ａが遊技盤２０（図３参照）に押し込まれる力を小さくできる。
【００１５】
図５は本発明の第３実施形態の押出部材２の一部の断面を示し、前記押出ピン５に相当する押出ピン５Ｂは先端面に凹部３１を備え、遊技盤２０（図３参照）に押し込まれ押出ピン５Ｂが釘１４（図３参照）の尖端を取り込みやすくできる。図５では凹部３１の頂部を平坦に形成したが、係る頂部は凹部３１の周縁部より連続した摺鉢状の傾斜面に形成しても良い。
【００１６】
第１実施形態では可動部材６により押出部材２を設置部材３に下降するだけであるが、押出部材２と設置部材３とに位置決めピンと位置決め孔とからなる位置決め手段を設けても良い。
【００１７】
第１実施形態では押出ピン５が釘１４の個々に対応するが、連釘と称されるように複数の釘が連続的に隣接した部分では、その連釘部分に対応する押出ピンを１つの押出ピンで複数の釘を押し出す形態としても良い。
【００１８】
第１実施形態では釘１４が遊技盤１０，２０の意匠盤面１１に対して所定角度θだけ傾斜するように打ち込まれた形態であるが、釘１４を所定角度θがゼロで遊技盤１０，２０の意匠盤面１１に対して垂直に打ち込まれた形態の場合には、遊技盤２０を設置部材３に装着する際、遊技盤２０の意匠盤面１１の所定角度θがゼロとなるように、遊技盤２０の意匠盤面１１を可動部材２の昇降方向に直交する水平面と平行となるように装着すれば良い。
【００１９】
第１実施形態では図２において遊技盤１０のセット板１６や配線コネクタ１７，１８等の裏面側部品とセンター役物１３のコネクタ１３ａや電動チューリップ１４のコネクタ１４ａ等の意匠盤面側部品との接続構造を外しやすい構造としたが、現在、市場に出回っている従前の遊技盤のように、遊技盤の裏面側で配線を取り外しても意匠盤面側部品に配線の一部が残るような形態の遊技盤を解体する場合には、意匠盤面側部品に対する押出ピンを釘に対する押出ピンよりも長く設定し、意匠盤面側部品が釘よりも早く遊技盤より取り外されるようにすれば、意匠盤面側部品に残る配線を押出部材２の下面と遊技盤の裏面との間に挟むことはなく、意匠盤面側部品に残る配線も意匠盤面側部品と一緒に適切に遊技盤より取り外すことができる。
【００２０】
第１実施形態では図３において釘１４と役物２１とを一緒に取り外したが、釘１４と役物２１とを別々の工程で取り外すようにしても良い。
【００２１】
第１実施形態では、動力を用いて遊技盤２０を解体したが、解体装置１を用いることなく、押出ピン５が設けられた押出部材５を手動操作で遊技盤２０に押し込むことにより遊技盤２０を解体する方法でも良い。
【００２２】
【発明の効果】
以上のように請求項１の発明によれば、遊技盤を設置部材に装着し、押さえ部材で遊技盤を押さえた後、可動部材により押出部材を設置部材に近づく方向に駆動する過程において、遊技盤の意匠盤面側部品との位置が上下に対応する多数の押出ピンが遊技盤に裏面より意匠盤面側に押し込まれて意匠盤面側部品を遊技盤より一度に取り外し、それから、可動部材により押出部材が設置部材より離れる際、押さえ部材が遊技盤を押さえることにより、遊技盤が設置部材より持ち上がることなく、押出ピンが遊技盤より引き抜かれるので、使用済みの遊技盤を作業効率よく解体できる。
請求項２の発明によれば、押出ピンが遊技盤の釘と平行移動して釘を取り外すので、釘を適切に取り外すことができる。
【図面の簡単な説明】
【図１】  第１実施形態の解体方法のフローチャート。
【図２】  同実施形態の解体前の遊技盤の断面図。
【図３】  同実施形態の解体装置の断面図。
【図４】  第２実施形態の押出部材の一部の断面図。
【図５】  第３実施形態の押出部材の一部の断面図。
【符号の説明】
１  解体装置
２  押出部材
３  設置部材
４  押さえ部材
５  押出ピン
６  可動部材
８  収容部
１０，２０  遊技盤
１１  意匠盤面
１２  釘
１３  センター役物
１３ａ  コネクタ
１４  電動チューリップ
１４ａ  コネクタ
１５  裏面
１６  セット板
１７，１８  配線用コネクタ
２２  止めねじ
θ  所定角度
【図１】
0004156066.tif 000002
【図２】
0004156066.tif 000003
【図３】
0004156066.tif 000004
【図４】
0004156066.tif 000005
【図５】
0004156066.tif 000006